(57)【要約】【課題】画一的かつ簡単であって安価に生産できる構造で、部材の干渉や多部品化といった不具合を回避する座受けおよび椅子を提供する。【解決手段】底壁１５と、この底壁１５の対向二側縁から立ち上がる側壁１９ａ、１９ｂと、前記底壁１５の前縁及び後縁から立ち上がるとともにその対向二側縁が対応する前記側壁１９ａ、１９ｂにそれぞれ接続される前後方向壁たる傾斜壁１６、１７とを具備する箱形のものであり、１枚の板材１０を折り曲げることによって構成しているものである。【選択図】図１
2004329321.tif 000002
【特許請求の範囲】
【請求項１】
脚支柱に支持される底壁と、この底壁の対向二側縁から立ち上がる側壁と、前記底壁の前縁又は後縁の少なくとも一方から立ち上がるとともにその対向二側縁が対応する前記側壁にそれぞれ接続される前後方向壁とを具備する箱形の座受けであって、
前記座受けは、１枚の板材を折り曲げることにより構成されるものであり、側壁となる部位と前後方向壁となる部位の間に生じる板材の余剰部分を当該座受けの内部空間又は外部空間に逃がしながら側壁及び前後方向壁を所定位置に起立させていることを特徴とする座受け。
【請求項２】
請求項１記載の座受けを利用して、側壁及び前後方向壁の上縁で座を支持してなることを特徴とする椅子。
【請求項３】
脚支柱に支持される底壁と、この底壁の対向二側縁から立ち上がる側壁と、前記底壁の前縁又は後縁の少なくとも一方から立ち上がるとともにその対向二側縁が対応する前記側壁にそれぞれ接続される傾斜壁とを具備し、側壁の上縁側に座を支持するとともに、傾斜壁に機構部品を取り付けるようにした座受けであって、
前記座受けは、１枚の板材を折り曲げることにより構成されるものであり、折り曲げに際して板材の前端辺から後端辺まで達する２本の主折り線を左右略対称位置に設定し、該２本の主折り線のうち一部の領域を谷折りとして前記底壁の対向二側縁とし、該対向二側縁のうち対応する所定箇所の間を結ぶ横折り線を設定してこの横折り線に沿って折り曲げることにより前記底壁の前縁又は後縁とし、前記所定箇所から端辺に向かって主折り線から内側に分岐する２本の副折り線を設定し、この副折り線を山折りしつつ前記主折り線の残りの領域を谷折りすることにより該副折り線を板材の端辺側へいくに従い上方に傾斜させ、該副折り線、前記横折り線および端辺に囲まれた板材の面を、前記傾斜壁となるよう構成したことを特徴とする座受け。
【請求項４】
前記２本の主折り線の外側にそれぞれ第２主折り線を介して外側片を設け、該第２主折り線を山折りとすることにより前記側壁の上縁に連続する位置に外側片を配置して、この外側片により座を支持するようにしていることを特徴とする請求項３に記載の座受け。
【請求項５】
前記側壁の上縁が前記底壁に対して傾斜した角度をなすように設定していることを特徴とする請求項３又は４に記載の座受け。
【請求項６】
請求項３〜５記載の座受けを利用して構成され、一方の端部付近で背を支持する背支桿と、該背支桿にバネによる反力を伝達するバネ力伝達部材とを具備し、前記背支桿の後傾動作に伴いバネ力伝達部材を介してバネを圧縮しつつ該バネによる反力を背支桿に作用させるようにした椅子であって、
前記座受けの傾斜壁の所定の箇所に機構部品であるバネ力伝達部材の一端を略垂直にあてがうことにより、バネの取り付け角度を外方に傾斜させたことを特徴とする椅子。
【発明の詳細な説明】
【０００１】
【発明の属する技術分野】
本発明は、チルト機構等を備えた椅子に好適に適用可能な座受け及び椅子に関する。
【０００２】
【従来の技術】
従来より、オフィスなどで使用される椅子について、座り心地を改善する目的で、主々の工夫がなされている。近時では、背凭れチルト機構（例えば、特許文献１参照）、座昇降機構、あるいは座の前後スライド機構等、多岐に亘る機構を兼ね備えた多機能の椅子が開発されている。とくに、これらの機能を付与する上で、椅子の座受け付近の工夫、改良が進んでいる。
【０００３】
【特許文献１】
特開平８−２１４９８３号公報
【０００４】
【発明が解決しようとする課題】
しかしながら、このように椅子の多機能化が進むと、価格的な点で不利になるのは勿論のこと、内部構造が複雑になると同時に部材同士の干渉等によって設計の自由度が低下するといった不具合も発生し得る。例えば、背凭れや座を可動とするためには通常回転軸が不可欠となるが、その回転軸の位置は背凭れや座に求められる動きから一意的に座受け付近に集まり、座を回転可能に支持する支柱の取付部分も座受け付近に存在する。このため、座受けはこれらの機能に対応して、その形状が複雑化し部品点数も多くなっている。
具体的には、座受けは、脚支柱に支持される底壁と、この底壁の対向二側縁から立ち上がる側壁とを具備し、側壁の上縁側に座を支持するとともに、底壁や側壁の適宜部位であって支柱等と干渉しない部位に、各種機構部品、例えばチルト機構の反力構造の足場となる前後方向壁を形成しているのが通例である。このような前後方向壁は、絞り加工や別体品の溶接等によって形成されているが、絞り加工には大掛かりな設備が必要となり、完成品の肉厚も不均一なものとなってしまう上に、高度な技術が必要となる。また、複数の部材を溶接により接合して複雑な形状の部品を作成する手法も採られているが、このような溶接には人手による時間と手間がかかり、強度の面でも問題が生じることとなる。そして、これらの手法で椅子を多機能化すると、かかる設備や技術、労力がそのまま生産コストに上積みされてしまうという問題が不可避なものとなる。
【０００５】
本発明は、このような事情に鑑みてなされたものであって、側壁及び前後方向壁からなる箱形の座受けを簡単、適切に作ることができるようにし、これにより椅子の多機能化に資することを所期の主たる課題とするものである。
【０００６】
【課題を解決するための手段】
以上の課題を解決すべく、本発明にかかる座受けは、脚支柱に支持される底壁と、この底壁の対向二側縁から立ち上がる側壁と、前記底壁の前縁又は後縁の少なくとも一方から立ち上がるとともにその対向二側縁が対応する前記側壁にそれぞれ接続される前後方向壁とを具備する箱形の座受けを作成するに際し、当該座受けを、１枚の板材を折り曲げることによって構成しようとするものである。そして、側壁となる部位と前後方向壁となる部位の間に生じる板材の余剰部分を当該座受けの内部空間又は外部空間に逃がしながら、側壁及び前後方向壁を所定位置に起立させるようにしたものである。
【０００７】
このような構成であれば、座受けは１枚の板材から構成されるため、部品点数を最小限にするとともに、金型にかかるコストも抑えることができる。また、溶接に比べて、複数の部品を接合することもないため座受けの強度向上が図れるとともに、部品を接合する手間も省くことができる。さらに、１枚の板材を折り曲げることにより構成されるため、たとえば絞り加工に比べて、技術的に簡単であり、完成品の肉厚も均一なものにすることができ、生産設備も折り曲げのためのもので良いため、設備コストも有効に抑えることができる。
【０００８】
かかる折り曲げ構造でも、座に掛かる上載荷重を適切に支持できるようにするためには、側壁及び前後方向壁の上縁で座を支持させて椅子を構成することが有効である。
【０００９】
本発明の具体的な実施の態様としては、脚支柱に支持される底壁と、この底壁の対向二側縁から立ち上がる側壁と、前記底壁の前縁又は後縁の少なくとも一方から立ち上がるとともにその対向二側縁が対応する前記側壁にそれぞれ接続される傾斜壁とを具備し、側壁の上縁側に座を支持するとともに、傾斜壁に機構部品を取り付けるようにしたものである。そして、前記座受けは、１枚の板材を折り曲げることにより構成されるものであり、折り曲げに際して板材の前端辺から後端辺まで達する２本の主折り線を左右略対称位置に設定し、該２本の主折り線のうち一部の領域を谷折りとして前記底壁の対向二側縁とし、該対向二側縁のうち対応する所定箇所の間を結ぶ横折り線を設定してこの横折り線に沿って折り曲げることにより前記底壁の前縁又は後縁とし、前記所定箇所から端辺に向かって主折り線から内側に分岐する２本の副折り線を設定し、この副折り線を山折りしつつ前記主折り線の残りの領域を谷折りすることにより該副折り線を板材の端辺側へいくに従い上方に傾斜させ、該副折り線、前記横折り線および端辺に囲まれた板材の面を、前記傾斜壁となるよう構成したものが挙げられる。
【００１０】
このような構成であれば、例えば底壁に支柱を取り付け、傾斜壁に各種機構部品を取り付けて、機構部品の突出方向を支柱から遠ざける方向に設定するといったことが可能となる。そして、折り曲げによって箱形の座受けを構成しているため、溶接や絞り加工に比べて上述した種々の利点を享受することができる。
【００１１】
上記実施態様において、座に対する支持を簡単かつ有効に高めるためには、前記２本の主折り線の外側にそれぞれ第２主折り線を介して外側片を設け、該第２主折り線を山折りとすることにより前記側壁の上縁に連続する位置に外側片を配置して、この外側片により座を支持するようにしておくことが望ましい。
【００１２】
座の傾斜角度を簡単に設定できるようにするためには、前記側壁の上縁が前記底壁に対して傾斜した角度をなすように設定しておくことが有効である。
【００１３】
また、本発明に係る椅子は、上記座受けを利用して構成され、一方の端部付近で背を支持する背支桿と、該背支桿にバネによる反力を伝達するバネ力伝達部材とを具備し、前記背支桿の後傾動作に伴いバネ力伝達部材を介してバネを圧縮しつつ該バネによる反力を背支桿に作用させるようにしたものである。このような椅子においては、前記座受けの傾斜壁の所定の箇所に機構部品であるバネ力伝達部材の一端を略垂直にあてがうことにより、バネの取り付け角度を外方に傾斜させておくことが好適となる。
【００１４】
【発明の実施の形態】
以下、本発明の一実施の形態について図面を参照して説明する。
【００１５】
本実施形態に係る座受け１は、図１に示した平面図のような１枚の鉄板などの板材１０を、折り曲げにより加工することによって、図２、図５の斜視図に示すような形状とするものである。
【００１６】
板材１０は前後方向からみて左右対称な形状をなすものであり、概略前後方向に沿って、或いはこれとほぼ直交する概略幅方向に略沿ってそれぞれ設けられた複数の折り線と、打ち抜きなどにより設けられた複数の穴とをそれぞれ具備している。
【００１７】
板材１０の概略前後方向に沿った折り線としては、板材１０の前端辺１２から後端辺１３にかけて途中屈曲して伸びる主折り線１１ａ、１１ｂと、主折り線１１ａ、１１ｂよりそれぞれ内側に分岐して後端辺１３に達する副折り線１１１ａ、１１１ｂと、主折り線１１ａ、１１ｂの屈曲部分付近から前端辺１２に達する副折り線１１２ａ、１１２ｂと、さらに主折り線１１ａ、１１ｂの外側に、板材１０の側端辺１４ａ、１４ｂと平行する方向に設けられた第２主折り線１１３ａ、１１３ｂとを設けている。左右の主折り線１１ａ、１１ｂは、屈曲部分における線間距離を最小とし、端辺に向かって漸次広がるように延びている。また、板材１０の幅方向に沿った折り線としては、前記主折り線１１ａ、１１ｂの屈曲部分間に位置する横折り線１１４と、前記後端辺１３に達する副折り線１１１ａ、１１１ｂが主折り線１１ａ、１１ｂから分岐する箇所に位置する横折り線１１５とを設けている。さらに、この板材１０には、該板材１０の中心付近に設けた脚支柱を支持する脚支柱支持孔１０１と、該脚支柱支持孔１０１の横方向に設けた、他の部材を挿通するための部材挿通孔１０２と、後端辺１３付近に後述するバネ力伝達部材を固定するために設けた部材固定孔１０３と、前記側端辺１４ａ、１４ｂ付近において座受け１に座を固定するために設けたねじ挿通孔１０４とを設けている。
【００１８】
この板材１０から座受け１を折り曲げて起こすには、主折り線１１ａ、１１ｂ及び横折り線１１４、１１５をそれぞれ谷折りしていくとともに、副折り線１１１ａ、１１１ｂ、１１２ａ，１１２ｂを山折りすることにより、主折り線１１ａ、１１ｂと横折り線１１４、１１５に囲まれた台形部分を底壁１５とし、該底壁１５の前隣接位置にあって横折り線１１４、副折り線１１２ａ、１１２ｂおよび前端辺１２に囲まれた台形部分を前後方向壁たる前傾斜壁１６とし、底壁１５の後隣接位置にあって横折り線１１５、後端辺１３および副折り線１１１ａ、１１１ｂからなる台形部分を前後方向壁たる後傾斜壁１７とする。これに伴って、主折り線１１ａ、１１ｂより外側に位置する部分は起立する。そして、第２主折り線１１３ａ、１１３ｂを山折りすることによって、該第２主折り線１１３ａ、１１３ｂより外側の左右２面を、座を支持するための外側片１８ａ、１８ｂとし、第２主折り線１１３ａ、１１３ｂよりも内側の起立した２面を側壁１９ａ、１９ｂとする。このように副折り線１１１ａ、１１１ｂ、１１２ａ、１１２ｂを設定したのは、側壁１９ａ、１９ｂを起立させた際に左右の主折り線１１ａ、１１ｂが前後方向の各部位において線間距離を略一定とする方向に近づいてきた際、折り線１１ａ、１１ｂ、１１４及び前端辺１２で囲まれる部分、並びに、折り線１１ａ、１１ｂ、１１５及び後端辺１３で囲まれる部分の圧縮を、副折り線１１１ａ、１１１ｂ、１１２ａ、１１２ｂが山折りとなることによって逃げるためである。そして、その結果、この部位が立体化して、前傾斜壁１６及び後傾斜壁１７が形成されることとなる。
【００１９】
上記のようにしてなる本実施形態の座受け１は、底壁１５から前傾斜壁１６、後傾斜壁１７及び２枚の側壁１９ａ、１９ｂが立ち上がった形状をなす。この座受け１を座３（図３参照）に取り付ける際は、外側片１８ａ、１８ｂ及び前傾斜壁１６の前端辺１２、後傾斜壁１７の後端辺１３において座３と接し、座３と座受け１の間に形成される逆四角錐状の空間には、他の機構部材を組み入れることが可能になる。該空間を囲むそれぞれの壁１５、１６、１７、１９ａ、１９ｂは、座３や図示しない背もたれに掛かる荷重を分散支持して、必要十分の強度を保つ構造をなす。
【００２０】
ここで、前傾斜壁１６及び後傾斜壁１７が底壁１５から立ち上がる角度は、板材１０を折り曲げる際の主折り線１１ａ、１１ｂの屈曲度合い（つまり、前後方向の途中に存在する屈曲点を境にして前端辺１２側に延びる部分と後端辺１３側に延びる部分のなす角度）に応じて調整することができる。また、側壁１９ａ、１９ｂの上縁となる第２主折り線１１３ａ、１１３ｂは、図１の展開状態でハの字形に開いており、この開き角度が外側片１８ａ、１８ｂの底壁１５に対する傾斜を与えるものである。したがって、この開き角度によって、外側片１８ａ、１８ｂの傾きを座３の傾きに合致させるための調整を行なうことが可能である。
【００２１】
次に、上記座受け１を用いた本実施形態に係る椅子について説明する。
【００２２】
本実施形態に係る椅子は、図３に示すように、脚４と、脚４の上端側に取り付けた前記座受け１と、基端を座受け１に支持させた背支桿２０とから構成されるもので、座受け１に前述した座３を取り付け、背支桿２に図示しない背を取り付けるようにしている。脚４は、図示しない５本の脚羽根の中央から脚支柱４０を立ち上げた構造をなし、脚支柱４０は昇降可能であって内部に図示しないガススプリング機構を組み込んでいる。
【００２３】
図３〜５に座受け１付近の構造を示す。この座受け１には、背支桿２０の基端近傍を支持する背支桿カバー２１と、背支桿２０に付与する反力を発生するバネ部２８と、上端を座受け１の後傾斜壁１７の所定箇所に固定され、背支桿２０及びバネ部２８を貫通し下端をバネ部２８の下端に位置づけてなるバネ力伝達部材２９とからなる反力機構が設けられているものである（図３（Ａ））。
【００２４】
背支桿カバー２１は、図４及び図５に示すように、上記座受け１と同様、１枚の板材２１０を折り曲げることにより構成されるものである。板材２１０の前後方向には左右略対称に該板材２１０の前端辺２１２から後端辺２１３まで達する２本の折り線２１４ａ、２１４ｂが設けられている。該板材２１０を背支桿カバー２１の形状とするには、前記２本の折り線２１４ａ、２１４ｂを略直角に折り曲げる。そうすることにより、下部に位置する底面２４と、２本の折り線２１４ａ、２１４ｂから立ち上がる２枚の側面２５ａ、２５ｂとを有する断面略コの字型の部材として構成される。背支桿カバー２１の前記２枚の側面２５ａ、２５ｂの上縁２５ｃ、２５ｄは、座受け１の底壁１５及び後傾斜壁１７がなす角度と同じ角度で屈曲しており、この２枚の側面２５ａ、２５ｂの上縁２５ｃ、２５ｄを座受け１の底壁１５及び後傾斜壁１７に下方より溶接等により接合することにより設置される。背支桿カバー２１を座受け１に接合した際に座受け１に設けられた脚支柱支持孔１０１の真下に該当する箇所には、脚支柱４０を挿通させるための脚支柱挿通孔２１１が設けられている。脚支柱挿通孔２１１は、脚支柱挿通孔１０１とともに脚支柱４０を挿し通した状態で該脚支柱４０に座受け１及び背支桿カバー２１を回転可能に支持させるためのものである。また、前記２枚の側面２５ａ、２５ｂの所定箇所には、後述する背支桿止め具２７を挿し通すための部材挿通孔２６ａ、２６ｂがそれぞれ設けられている。
【００２５】
背支桿２０は、図５に示すように、基端部付近に回転軸孔２０ａが設けてあり、該回転軸孔２０ａに前記背支桿カバー２１の部材挿通孔２６ａ、２６ｂとともに棒条の背支桿止め具２７を挿し通すことにより、背支桿カバー２１と座受け１との間に形成される空間に回転可能に軸支して、該背支桿２０にいわゆる背凭れチルト機構としての傾動動作を許容するものである。
【００２６】
バネ部２８は、コイルスプリングなどのバネＳＰと、このバネＳＰの圧縮方向の上下両端に位置するリテーナＲ１、Ｒ２とからなるもので、上リテーナＲ１の上面は背支桿２０に接しており、下リテーナＲ２は次に述べるバネ力伝達部材２９に支持されている。
【００２７】
バネ力伝達部材２９は、上端部を前記後傾斜壁１７の部材支持孔１０３を通過した位置において該後傾斜壁１７に上下動不能かつ回動不能に固定され、下端側を後傾斜壁１７に対して略垂直方向、つまり斜め後下方に延出させて、その下端側より上リテーナＲ１、バネＳＰ、下リテーナＲ２を挿し通し、その状態で下端部にナット部材２９ａ（反力調整用のグリップでもよい）をねじ込んで、ナット部材２９ａに下リテーナＲ２を支持させている。そして、背支桿２０の荷重を上リテーナＲ１で受け、これによりバネＳＰを圧縮して、その反力を背支桿２０に作用させるようにしている。
【００２８】
次に、背支桿２０が後傾動作する際の動作を説明する。背支桿２０が後傾動作を行わないときには図３（Ａ）のように背支桿２０は下方からバネ部２８に支えられるとともに上面２０ｂは座受け１の後傾斜壁１７に接することで背を直立状態に保っており、背支桿２０が後傾動作をするに伴いバネ力伝達部材２９を介してバネＳＰを圧縮しつつ該バネＳＰによる反力が該背支桿２０に作用するようになっている。背支桿２０が後傾した状態の座受け１付近の拡大図を図３（Ｂ）に示す。前記背支桿２０が背支桿止め具２７を支点として後傾することによって、同図のように背支桿カバー２１の底面２４に背支桿２０の下面２０ｃが接し、これにより背支桿２０の傾動範囲が制限され、安定した後傾姿勢となる。
【００２９】
このように、本実施形態に椅子は、背支桿２０に後傾させる作用力が働いていない状態では座受け１の後傾斜壁１７が背支桿２０を起立状態に維持するストッパーとしての役割を果たしている。また背支桿２０が後傾した状態では、背支桿カバー２１の底面２４が背支桿２０に接するため当該底面２４が背支桿２０を後傾状態に維持するストッパーとしての役割を果たしている。
【００３０】
以上のように、本実施形態の座受け１は、脚支柱４０に支持される底壁１５と、この底壁１５の対向二側縁から立ち上がる側壁１９ａ、１９ｂと、前記底壁１５の前縁及び後縁から立ち上がるとともにその対向二側縁が対応する前記側壁１９ａ、１９ｂにそれぞれ接続される前後方向壁たる傾斜壁１６、１７とを具備する箱形のものであり、１枚の板材１０を折り曲げることによって構成しているものである。そして、側壁１９ａ、１９ｂとなる部位と傾斜壁１６，１７となる部位の間に生じる板材１０の余剰部分（図において折り線１１ａ、１１２ａ、１１４及び前端辺１２で囲まれた部分、折り線１１ｂ、１１２ｂ、１１４及び前端辺１２で囲まれた部分、折り線１１ａ、１１１ａ及び後端辺１３で囲まれた部分、折り線１１ｂ、１１１ｂ及び後端辺１３で囲まれた部分）を当該座受け１の内部空間に逃がしながら、側壁１９ａ、１９ｂ及び傾斜壁１６、１７を所定位置に起立させるようにしている。
【００３１】
このため、座受け１を１枚の板材１０から容易に構成することができ、部品点数を最小限にするとともに、金型にかかるコストも抑えることができる。また、溶接に比べて、複数の部品を接合することもないため座受け１の強度向上が図れるとともに、部品を接合する手間も省いて工数を削減することができる。さらに、１枚の板材を折り曲げることにより構成されるため、たとえば絞り加工に比べて、技術的に簡単であり、完成品の肉厚も均一なものにすることができ、生産設備も折り曲げだけでよいため安価に済ますことが可能となる。
【００３２】
特に、側壁１９ａ、１９ｂ及び傾斜壁１６，１７の上縁に座３を支持させて椅子を構成しているので、かかる折り曲げ構造であっても、座３に掛かる上載荷重を各壁１９ａ、１９ｂ、１６、１７に分散させて適切に支持することが可能となる。
【００３３】
具体的には、本実施形態の座受け１は、脚支柱４０に支持される底壁１５と、この底壁１５の対向二側縁から立ち上がる側壁１９ａ、１９ｂと、前記底壁１５の前縁、後縁から立ち上がるとともにその対向二側縁が対応する前記側壁１９ａ、１９ｂにそれぞれ接続される前傾斜壁１６および後傾斜壁１７とを具備し、側壁１９ａ、１９ｂの上縁側に座３を支持するとともに、後傾斜壁１７にバネ力伝達部材２９を始めとする反力機構の機構部品を取り付けるようにしたものである。そして、その座受け１を、１枚の板材１０を折り曲げることにより構成することとし、折り曲げに際して板材１０の前端辺１２から後端辺１３まで達する２本の主折り線１１ａ、１１ｂを左右略対称に設け、該２本の主折り線１１ａ、１１ｂのうち一部の領域を谷折りとして前記底壁１５の対向二側縁とし、該対向二側縁のうち対応する所定箇所の間を結ぶ横折り線を設けることにより前記底壁１５の前縁又は後縁とし、前記所定箇所から端辺１２、１３に向かって主折り線１１ａ、１１ｂから内側に分岐する副折り線１１１ａ、１１１ｂ，１１２ａ、１１２ｂを設け、この副折り線１１１ａ、１１１ｂ，１１２ａ、１１２ｂを山折りしつつ前記主折り線１１ａ、１１ｂの残りの領域を谷折りすることにより該副折り線１１１ａ、１１１ｂ，１１２ａ、１１２ｂを板材１０の端辺１２、１３側へいくに従い上方に傾斜させ、該副折り線１１１ａ、１１１ｂ，１１２ａ、１１２ｂ、前記横折り線１１４、１１５および端辺１２、１３に囲まれた板材１０の面を、前傾斜壁１６および後傾斜壁１７となるよう構成している。このため、各種機構部品の取り付け先となるこれらの傾斜壁１６、１７を、板材１０の折り曲げを利用して有効に構成することが可能となる。
【００３４】
また、本実施形態に係る座受け１は、前記２本の主折り線１１ａ、１１ｂの外側にそれぞれ第２主折り線１１３ａ、１１３ｂを介して外側片１８ａ、１８ｂを設け、該第２主折り線１１３ａ、１１３ｂを山折りとすることにより前記側壁１９ａ、１９ｂの上縁に連続する位置に外側片１８ａ、１８ｂを配置して、この外側片１８ａ、１８ｂにより座３を支持するようにしているため、座受け１が座３を面で支持するようになるため、該面を利用して溶接による接合のみならず、ねじ等による固定も可能になり、簡便かつ確実に座３を支持することができるようになる。
【００３５】
さらに、本実施形態に係る座受け１は、前記側壁１９ａ、１９ｂの上縁が前記底壁１５に対して傾斜した角度をなすように設定しているため、前記側壁１９ａ、１９ｂの上縁の角度を適宜設定することで、座受け１が座３を支持する角度を簡単に調整することができ、座３の傾斜に合致させた支持状態を容易に得ることを可能として、ひいては座３の設計の自由度も有効に高めることが可能となる。
【００３６】
さらに、本実施形態に係る椅子は、上記座受け１を利用して構成され、さらに、一方の端部付近で背を支持する背支桿２０と、該背支桿２０にバネ部２８による反力を伝達するバネ力伝達部材２９を具備し、前記背支桿２０の後傾動作に伴いバネ力伝達部材２９を介してバネを圧縮しつつ該バネ部２８による反力を背支桿２０に作用させるようにした椅子であり、前記座受け１の後傾斜壁１７の所定の箇所にバネ力伝達部材２９の一端を略垂直にあてがうことにより、バネ部２８の取り付け角度を外方に傾斜させたものである。
【００３７】
このようなものであれば、バネ部２８の取り付け角度が外側に向き、バネ力伝達部材２９の他端が脚支柱４０等の座受け１付近に設置する他の部材から離れた位置に設けることが可能となるため、座受け１付近に設置する他の部材との位置的な干渉を防ぐことができる。
【００３８】
なお、各部の具体的な構成は、上述した実施形態のみに限定されるものではなく、本発明の趣旨を逸脱しない範囲で種々変形が可能である。
【００３９】
例えば、上記実施形態では、後傾斜壁１７に反力機構を構成するバネ力伝達部材２９を取り付けたものであるが、前傾斜壁１６を利用して各種機構部品を取り付けても同様の効果が奏される。例えば、座受け１の内部空間に反力機構が組み込まれるような椅子においては、この部位に反力調整用のグリップが取り付けられることがあるが、この部分の壁が傾斜していることでグリップ操作が行い易いものである。そして、この実施形態によれば、そのような前傾斜壁１６も容易に提供されることとなる。
【００４０】
また、前後方向壁は傾斜していないものであってもよく、余剰部分は座受けの外側空間に逃がしても同様の効果が奏される。
【００４１】
さらに、折り線の数や位置なども、上述した実施形態に限定されるものではない。
【００４２】
その他、上記実施形態において、各折り線は直線状或いは折れ線状のものとしているが、板材１０を鉄板などの金属板で構成する場合、たとえば若干湾曲した折り線を用いても、材質の特性上折り曲げることが可能であるため、そのような折り線を採用したとしても本発明の趣旨を逸脱するものではない。
【００４３】
【発明の効果】
以上に詳述した本発明によれば、１枚の板材から簡単な手法によって箱形の座受けを有効に製造することができ、これを利用して、種々の機構部品を備えた椅子を簡易に作成し、廉価に提供することが可能となる。
【図面の簡単な説明】
【図１】本発明の一実施形態を示す平面図。
【図２】同実施形態の斜視図。
【図３】同実施形態の要部断面図。
【図４】同実施形態の平面図及び斜視図。
【図５】同実施形態の斜視図。
【符号の説明】
１  …座受け
１０、２１０…板材
１１ａ、１１ｂ…主折り線
１１１ａ、１１１ｂ、１１２ａ、１１２ｂ…副折り線
１１３ａ、１１３ｂ…第２主折り線
１１４、１１５…横折り線
１２、２１２…前端辺
１３、２１３…後端辺
１５…底壁
１６…前傾斜壁
１７…後傾斜壁
１８ａ、１８ｂ…外側片
１９ａ、１９ｂ…側壁
２  …背
２０…背支桿
２１…背支桿カバー
２１４ａ、２１４ｂ…２本の折り線
２４…底面
２５ａ、２５ｂ…２枚の側面
２７…背支桿止め
２８…バネ部
２９…バネ力伝達部材
３  …座
４  …脚
４０…脚支柱
【図１】
2004329321.tif 000003
【図２】
2004329321.tif 000004
【図３】
2004329321.tif 000005
【図４】
2004329321.tif 000006
【図５】
2004329321.tif 000007